(57)【特許請求の範囲】
【請求項１】
筒体の一部から成る円弧状側壁から立設された係止片を備えたカム部材と、
該カム部材を所定方向へ付勢する弾性部材と、
前記係止片を備えたカム部材及び弾性部材を内部に収納すると共に前記係止片を係合する切欠き部と前記弾性部材を挿通する小筒部を有した有底収納ケースとを備えた回転ダンパであって、
前記カム部材は、前記収納ケースに収納された際に、当該収納ケースの軸線方向にのみ移動可能に支持されたことを特徴とする回転ダンパ。
【請求項２】
前記カム部材は、側端面にカム面が形成され、前記弾性部材によりカム面が突出する方向に付勢されたことを特徴とする請求項１に記載の回転ダンパ。
【請求項３】
前記カム部材は、前記収納ケースに回転不能に収納されたことを特徴とする請求項１または２に記載の回転ダンパ。
【請求項４】
前記カム部材及び収納ケースは、軸挿通用の孔を有することを特徴とする請求項１〜３の何れか１に記載の回転ダンパ。
【請求項５】
カム部材と、該カム部材を所定方向へ付勢する弾性部材と、前記カム部材及び弾性部材を収納する両端の開口した収納ケースとを備えた回転ダンパであって、前記カム部材は、前記収納ケースの両端にそれぞれ軸線方向にのみ移動可能に支持されたことを特徴とする回転ダンパ。
【請求項６】
回転可能に軸支されたアシストグリップを復帰位置へ付勢するアシストグリップ装置であって、前記アシストグリップの支持凹部にカム部材と、該カム部材を所定方向へ付勢する弾性部材と、前記カム部材及び弾性部材を収納する収納ケースとを備え、前記カム部材は、前記収納ケースの軸線方向にのみ移動可能に支持され、引き出された前記アシストグリップを復帰方向へ付勢する回転ダンパを具備したことを特徴とするアシストグリップ装置。
【発明の詳細な説明】
【０００１】
【発明の属する技術分野】
本発明は、回動運動する部材に弾性部材により減衰力を付与する回転ダンパ、及びこの回転ダンパを使用したアシストグリップ装置に関するものである。
【０００２】
【従来の技術】
図１３は、従来の回転ダンパの一例を示す説明図である。ここで、回転ダンパは、軸１に係合面を対向し且つ一定間隔を有して固着された一対の第１カム２、２と、この第１カム２の内側にあって第１カムと傾斜面３ａで夫々係合し、且つ弾性部材４により外方へ付勢された一対の第２カム３、３とから構成されている。
【０００３】
このような構成を有する回転ダンパにおいて、第２カム３は図外の固定手段により回動不能であるとともに、軸線方向に摺動可能に支持されており、軸１を矢印Ａ方向に回動すると、傾斜面の働きにより第２カム３、３が互いに弾性部材４のバネ力に抗して近づく。このバネ力によって軸１の回動に制限を加えることができる。
【０００４】
【発明が解決しようとする課題】
しかし、上記した構成の従来の回転ダンパは、部品点数が多いとともに、個々の構成部品がユニット化されていないために、組み付ける場合の作業性が悪く、多大なスペースを必要とした。また、組み付けに際して、回転方向にずれて、誤組み付けや、トルク伝達不良を生じる虞が存在した。
【０００５】
本発明は、上記実情に鑑み提案されたもので、一つのケース内にコンパクトに収納し、組み付け性に優れた回転ダンパを提供することを目的とする。
【０００６】
【課題を解決するための手段】
上記目的を達成するために、請求項１に記載の発明は、筒体の一部から成る円弧状側壁から立設された係止片を備えたカム部材と、該カム部材を所定方向へ付勢する弾性部材と、前記係止片を備えたカム部材及び弾性部材を内部に収納すると共に前記係止片を係合する切欠き部と前記弾性部材を挿通する小筒部を有した有底収納ケースとを備えた回転ダンパであって、前記カム部材は、前記収納ケースに収納された際に、当該収納ケースの軸線方向にのみ移動可能に支持されたことを特徴としている。
【０００７】
また、請求項２に記載の発明において、前記カム部材は、側端面にカム面が形成され、前記弾性部材によりカム面が突出する方向に付勢されたことを特徴とするものである。
【０００８】
また、請求項３に記載の発明において、前記カム部材は、前記収納ケースに回転不能に収納されたことを特徴とするものである。
【０００９】
また、請求項４に記載の発明において、前記カム部材及び収納ケースは、軸挿通用の孔を有することを特徴とするものである。
【００１０】
また、請求項５に記載の発明において、カム部材と、該カム部材を所定方向へ付勢する弾性部材と、前記カム部材及び弾性部材を収納する両端の開口した収納ケースとを備えた回転ダンパであって、前記カム部材は、前記収納ケースの両端にそれぞれ軸線方向にのみ移動可能に支持されたことを特徴とするものである。
【００１１】
また、請求項６に記載の発明において、回転可能に軸支されたアシストグリップを復帰位置へ付勢するアシストグリップ装置であって、前記アシストグリップの支持凹部にカム部材と、該カム部材を所定方向へ付勢する弾性部材と、前記カム部材及び弾性部材を収納する収納ケースとを備え、前記カム部材は、前記収納ケースの軸線方向にのみ移動可能に支持され、引き出された前記アシストグリップを復帰方向へ付勢する回転ダンパを具備したことを特徴とするものである。
【００１２】
【発明の実施の形態】
以下、一実施の形態を示す図面に基づいて本発明を詳細に説明する。図１は、本発明に係る回転ダンパを示す縦断面図、図２は、本発明の回転ダンパの分解斜視図である。
【００１３】
ここで、回転ダンパ１０は、カム部材１１と、このカム部材１１を所定方向へ付勢する弾性部材（コイルスプリング）１２と、前記カム部材１１及び弾性部材１２を収納する有底の収納ケース１３とを備えるとともに、カム部材１１は、前記収納ケース１３の軸線方向にのみ移動可能に支持されている。
【００１４】
図１において、カム部材１１は、略円筒状をしており、上面にヘリカル状のカム面１１ａを有している。カム面１１ａは、Ａ点で低く、Ｂ点で最高位置となる（図１０参照）。また、カム面１１ａの中央には、軸挿通用の挿通孔１１ｂが形成されている。更に、カム部材１１の側壁には、係止片１１ｃが形成されている。この係止片１１ｃは、三方向を切欠いて形成されており、外周方向に突出した係合突起１１ｄを有している。本実施の形態において、係止片１１ｃは、対向した位置にそれぞれ配設されている。また、側壁は、切欠き部１１ｅを有している。
【００１５】
弾性部材１２は、本実施の形態において圧縮コイルスプリングから構成されており、カム部材１１の挿通孔１１ｂより大きな巻径を有している。収納ケース１３は、有底の筒状をしており、側壁に回り止め用の突起１４が形成されている。また、突起１４は、収納ケース１３の長手方向に延設されている。収納ケース１３の内径は、前記カム部材１１が挿通可能な寸法に設定されている。更に、収納ケース１３は、側壁に前記カム部材１１に形成された係止片１１ｃの係合可能な切欠き部１５を有している。また、収納ケース１３は、中央に底壁１３ａから立ち上がった小筒部１６を有している。小筒部１６の外径は、カム部材１１の挿通孔１１ｂより小さく形成され、これと挿通可能となっている。
【００１６】
次に、以上のように構成された各部材の組立について説明する。先ず、収納ケース１３の小筒部１６に開口した上面からコイルスプリング１２を挿通する。次に、カム部材１１を側壁に形成された係止片１１ｃの位置と切欠き部１５の位置が一致するようにして挿入する。係止片１１ｃに形成された係合突起１１は、挿入の際、収納ケース１３の内周面に当接することにより、一旦後退するが切欠き部１５に至ると弾性力によって復帰し、切欠き部１５から外周方向へ突出する。この突出により、カム部材１１は収納ケース１３から抜け止めされる。また、カム部材１１の挿入に際して、コイルスプリング１２が圧縮されて、上に押し上げる付勢力を付与する。更に、カム部材１１の縦寸法は、収納ケース１３の縦寸法より短いので、カム部材１１をさらに押し込むことができる。
【００１７】
次に、以上のように構成された本発明に係る回転ダンパ１０の動作について説明する。先ず、突起１４により回動しないように取り付けられた回転ダンパ１０は、図外の支持軸が小筒部１６に挿入される。また、この支持軸に回動可能に取り付けられた回動部材がカム面１１ａに当接しつつ回転する際に、カム面のＡ点からＢ点に向かうに従ってカム部材１１が弾性部材１２のバネ力に抗して押し下げられる。つまり、カム面１１ａに当接しつつ回転する回動部材は、回動するにしたがって強い押圧力を受け、弾性部材による減衰力を受ける。また、回転ダンパは、一体的にコンパクト形成されたので、組み付けも容易である。
【００１８】
図３（ａ）は、本発明の回転ダンパの他の実施例を示す縦断面図である。本実施の形態において、回転ダンパ２０は、カム部材２１と、このカム部材２１を所定方向へ付勢する弾性部材２２と、前記カム部材２１及び弾性部材２２を収納する両端の開口した収納ケース２３とを備え、前記カム部材２１は、収納ケース２３の両端にそれぞれ軸線方向にのみ移動可能に支持されている。
【００１９】
ここで、カム部材２１は、略円筒状をしており、上面にヘリカル状のカム面２１ａを有している。カム面２１ａは、第１の実施の形態と同様にＡ点で低く、Ｂ点で最高位置となる。また、カム面２１ａの中央には、軸挿通用の挿通孔２１ｂが形成されている。更に、カム部材２１の側壁には、係止片２１ｃが形成されている。この係止片２１ｃは、周囲三方向を切欠いて形成されており、外周方向に突出した係合突起２１ｄを有している。本実施の形態において、係止片２１は、対向した位置にそれぞれ配設されている。
【００２０】
弾性部材２２は、本実施の形態において圧縮コイルスプリングから構成されており、カム部材２１の挿通孔２１ｂより大きな巻径を有している。収納ケース２３は、両端の開放した筒状をしており、側壁に回り止め用の突起（図示せず）が形成されている。収納ケース２３の内径は、前記カム部材２１が挿通可能な寸法に設定されている。更に、収納ケース２３は、側壁に前記カム部材２１に形成された係止片２１ｃの係合可能な切欠き部２５を有している。また、収納ケース２３は、中央に小筒部２６を有しており、支持腕２３ａで固定支持されている。小筒部２６の外径は、カム部材２１の挿通孔２１ｂより小さく形成され、これと挿通可能となっている。
【００２１】
次に、以上のように構成された各部材の組立について説明する。先ず、収納ケース２３の一方の開口部からカム部材２１を挿入し、係合突起２１ｄを収納ケース２３の切欠き部２５に係合させる。次に、他方の開口部から、小筒部２６及び弾性部材２２を収納ケース２３内に収納する。更に、もう一つのカム部材２１を挿入する。挿入の際、収納ケース２３の内周面に当接することにより、一旦後退するが切欠き部２５に至ると弾性力によって復帰し、切欠き部２５から外周方向へ突出する。この突出により、カム部材２１は収納ケース２３から抜け止めされる。また、カム部材２１の挿入に際して、コイルスプリング１２が上下のカム部材２１により圧縮されて、両方向に押し出す付勢力を付与する。更に、カム部材２１を２個並べた縦寸法は、収納ケース２３の縦寸法より短いので、カム部材２１をさらに押し込むことができる。
【００２２】
以上のように構成した場合、収納ケース２３の両面にカム部材２１を配設したので、制動減衰を加える部材に取り付ける際の自由度を更に増すことができる。また、取り立てに際して、誤って組み付ける虞がない。
【００２３】
図３（ｂ）は、本発明のその他の実施例を示す縦断面図である。本実施例は、図３（ａ）に示す例と略同じであるが、小筒部が存在しない代わりにカム部材２１の内側面にスプリングの端部を案内するためのガイド部２１ｆが形成されている。
【００２４】
以上のように構成した場合、スプリングを案内するための小筒部が必要なくなり、部品点数の削減を達成することができる。
【００２５】
図４は、本発明の回転ダンパを使用したアシストグリップ装置を示す分解斜視図、図５は、本発明のアシストグリップのベース部を示す要部拡大斜視図、図６は、本発明のアシストグリップに取り付けられた状態を示す回転ダンパの説明図、図７は、同アシストグリップと回転ダンパとの関係を示す説明図である。ここで、アシストグリップ装置２７は、回転可能に軸支されたアシストグリップ２７ａを復帰位置へ付勢するもので、前記アシストグリップ２７ａの支持凹部２８に前述したカム部材１１と、該カム部材１１を所定方向へ付勢する弾性部材１２と、前記カム部材１１及び弾性部材１２を収納する収納ケース１３とを備え、前記カム部材１１は、前記収納ケース１３の軸線方向にのみ移動可能に支持され、引き出された前記アシストグリップ２７ａを復帰方向へ付勢する回転ダンパを具備している。
【００２６】
また、アシストグリップ２７ａは、支持凹部２８に固定溝２９を有しており、この固定溝２９に回転ダンパ１０の外周面に形成された突起１４を係合させて、収納ケース１３をアシストグリップ２７ａと一体的に回動させる。また、図５、６に示すように、車体側に固定されるベース３０には、回転ダンパ１０を支持する支持軸の挿通される軸穴３０ａを有するとともに、この軸穴３０ａの周囲に突起３０ｂが形成されている。
【００２７】
図４，６に示すように回転ダンパ１０は、ベース３０の腕３０ｄ間に載置され、カム面１１ａがベース３０の突起３０ｂに当接するように配設されている。また、ベース３０は、その基端部３０ｃにより車体に固定される。ここで、図８は、アシストグリップ未使用時の回転ダンパの状態を示す説明図、図９は、アシストグリップ使用時の回転ダンパの状態を示す説明図、図１０は、カム部材の展開図、図１１は、アシストグリップ未使用時の回転ダンパの状態を示すＸ方向矢視図、図１２は、アシストグリップ使用時の回転ダンパの状態を示すＹ方向矢視図である。
【００２８】
図８に示す状態では、アシストグリップ２７ａは、未使用の状態であり、ベース３０の腕３０ｄに形成された突起３０ｂがカム面１１ａの一番低いＡ位置にある。これは、図１１に対応する。この状態では、アシストグリップ２７ａは、殆どカム面１１ａから付勢力を受けることはない。
【００２９】
次に、アシストグリップ２７ａを順次引き出して行くと、回転ダンパ１０がアシストグリップと共に回動し、ベースの突起３０ｂがカム面の高い位置と当接し、徐々に強い付勢力を受ける。図９に示す状態は、ベースの突起３０ｂがカム面の最も高い位置と当接している状態である。アシストグリップ２７ａは、最も開成された状態で、図１２に該当する。アシストグリップ２７ａは、約１２０〜１３０°の角度開く。この状態で手をアシストグリップから離すと、回転ダンパ１０の付勢力により、当初の位置に復帰する。
【００３０】
以上のように構成したアシストグリップ装置は、自動車内のアシストグリップにスプリングによる減衰力を付与することができる。つまり、部品点数の削減に伴う製造コストの低減と、作業性の向上を達成することができる。
【００３１】
なお、以上の実施例では、回転ダンパを自動車内のアシストグリップ装置に使用した例について説明したが、これに限ることなく他の開閉運動を行う部材のダンパとして使用することができる。
【００３２】
【発明の効果】
この発明は上記した構成からなるので、以下に説明するような効果を奏することができる。
【００３３】
請求項１に記載の発明では、筒体の一部から成る円弧状側壁から立設された係止片を備えたカム部材と、該カム部材を所定方向へ付勢する弾性部材と、前記係止片を備えたカム部材及び弾性部材を内部に収納すると共に前記係止片を係合する切欠き部と前記弾性部材を挿通する小筒部を有した有底収納ケースとを備えた回転ダンパであって、前記カム部材は、前記収納ケースに収納された際に、当該収納ケースの軸線方向にのみ移動可能に支持されたものである。
【００３４】
このような構成としたことによって、回動部材の回動に伴ってカム面が押圧され、弾性部材からの反撥力によって減衰力を得ることができる。
【００３５】
また、請求項２に記載の発明において、前記カム部材は、側端面にカム面が形成され、前記弾性部材によりカム面が突出する方向に付勢されたので、回動部材の回転運動を弾性部材を収縮させる直線運動に変換することができる。
【００３６】
また、請求項３に記載の発明において、前記カム部材は、前記収納ケースに回転不能に収納されたので、回動部材の回転運動を弾性部材を収縮させる直線運動に変換することができる。
【００３７】
また、請求項４に記載の発明において、前記カム部材及び収納ケースは、軸挿通用の孔を有するので、この軸挿通用の孔に支持軸を挿通して使用することができる。
【００３８】
また、請求項５に記載の発明において、カム部材と、該カム部材を所定方向へ付勢する弾性部材と、前記カム部材及び弾性部材を収納する両端の開口した収納ケースとを備えた回転ダンパであって、前記カム部材は、前記収納ケースの両端にそれぞれ軸線方向にのみ移動可能に支持されたので、回動部材の回動に伴った一層強力な減衰力を得ることができる。
【００３９】
また、請求項６に記載の発明において、回転可能に軸支されたアシストグリップを復帰位置へ付勢するアシストグリップ装置であって、前記アシストグリップの支持凹部にカム部材と、該カム部材を所定方向へ付勢する弾性部材と、前記カム部材及び弾性部材を収納する収納ケースとを備え、前記カム部材は、前記収納ケースの軸線方向にのみ移動可能に支持され、引き出された前記アシストグリップを復帰方向へ付勢する回転ダンパを具備したので、部分点数の削減及び組立工数の大幅な削減を実現することができる。また、一体的でコンパクトに構成されたので、組み付けの際に部材が回転方向にずれたりして、トルク伝達不良等の不都合を生じる虞がない。
【図面の簡単な説明】
【図１】図１は、本発明に係る回転ダンパを示す縦断面図である。
【図２】図２は、同回転ダンパの分解斜視図である。
【図３】図３（ａ）は、本発明の回転ダンパの他の実施例を示す縦断面図、（ｂ）は、その他の実施例を示す縦断面図である。
【図４】図４は、本発明の回転ダンパを使用したアシストグリップ装置を示す分解斜視図である。
【図５】図５は、同アシストグリップのベース部を示す要部拡大斜視図である。
【図６】図６は、同アシストグリップに取り付けられた状態を示す回転ダンパの説明図である。
【図７】図７は、同アシストグリップと回転ダンパとの関係を示す説明図である。
【図８】図８は、アシストグリップ未使用時の回転ダンパの状態を示す説明図である。
【図９】図９は、アシストグリップ使用時の回転ダンパの状態を示す説明図である。
【図１０】図１０は、カム部材の展開図である。
【図１１】図１１は、アシストグリップ未使用時の回転ダンパの状態を示すＸ方向矢視図である。
【図１２】図１２は、アシストグリップ使用時の回転ダンパの状態を示すＹ方向矢視図である。
【図１３】図１３は、従来の回転ダンパの一例を示す説明図である。
【符号の説明】
１０      回転ダンパ
１１      カム部材
１１ａ    カム面
１１ｂ    挿通孔
１１ｃ    係止片
１１ｄ    係合突起
１１ｅ    切欠き部
１２      弾性部材（コイルスプリング）
１３      収納ケース
１３ａ    底壁
１４      突起
１５      切欠き部
１６      小筒部
２０      回転ダンパ
２１      カム部材
２１ａ    カム面
２１ｂ    挿通孔
２１ｃ    係止片
２１ｄ    係合突起
２１ｆ    ガイド部
２２      弾性部材
２３      収納ケース
２３ａ    支持腕
２５      切欠き部
２６      小筒部
２７      アシストグリップ装置
２７ａ    アシストグリップ
２８      支持凹部
２９      固定溝
３０      ベース
３０ａ    軸穴
３０ｂ    突起
３０ｃ    基端部
３０ｄ    腕
【図１】
0004166986.tif 000002
【図２】
0004166986.tif 000003
【図３】
0004166986.tif 000004
【図４】
0004166986.tif 000005
【図５】
0004166986.tif 000006
【図６】
0004166986.tif 000007
【図７】
0004166986.tif 000008
【図８】
0004166986.tif 000009
【図９】
0004166986.tif 000010
【図１０】
0004166986.tif 000011
【図１１】
0004166986.tif 000012
【図１２】
0004166986.tif 000013
【図１３】
0004166986.tif 000014